(57)【特許請求の範囲】
【請求項１】
遊技球を入賞口へ受け入れる球受け部材と、
プランジャを有するソレノイドと、
プランジャの駆動力を球受け部材に伝達する駆動機構とを有し、
駆動機構は、プランジャに装着された連動部材と、連動部材の前端側と球受け部材の後端側に接続され、連動部材の前後方向の運動に伴って回動し、球受け部材を連動部材の移動方向とは逆向きの方向へ移動させるリンク部材とを有し、
連動部材が前方へ移動すると、リンク部材が連動部材に接近する方向へ回動する入賞装置において、
リンク部材には、後方側へロックピンが突設形成され、
連動部材には、該連動部材の前面から後方に向かって前後方向に深さを有するロック孔が形成され、
ロックピンとロック孔とは所定深さで嵌合及び嵌合の解除が自在であり、
ロックピンとロック孔とが所定深さに嵌合された状態からロックピンとロック孔の嵌合が解除されるまで、連動部材がリンク部材に対して後方へスライド移動するようにリンク部材と連動部材が接続されており、
ロックピンの突出端には、後方に向けて突出する補強部が設けられていることを特徴とする入賞装置。
【請求項２】
補強部は、下面から後端面側に向けて斜面状に形成された傾斜面を有する請求項１記載の入賞装置。
【請求項３】
遊技球を入賞口へ受け入れる球受け部材と、
プランジャを有するソレノイドと、
プランジャの駆動力を球受け部材に伝達する駆動機構とを有し、
駆動機構は、プランジャに装着された連動部材と、連動部材の前端側と球受け部材の後端側に接続され、連動部材の前後方向の運動に伴って回動し、球受け部材を連動部材の移動方向とは逆向きの方向へ移動させるリンク部材とを有し、
連動部材が前方へ移動すると、リンク部材が連動部材に接近する方向へ回動する入賞装置において、
リンク部材には、後方側へロックピンが突設形成され、
連動部材には、該連動部材の前面から後方に向かって前後方向に深さを有するロック孔が形成され、
ロックピンとロック孔とは所定深さで嵌合及び嵌合の解除が自在であり、
ロックピンとロック孔とが所定深さに嵌合された状態からロックピンとロック孔の嵌合が解除されるまで、連動部材がリンク部材に対して後方へスライド移動するようにリンク部材と連動部材が接続されており、
球受け部材は、流下する遊技球を受け止める球受け面と、球受け面の前端に設けられた前方壁と、球受け面のいずれか一方の側端に設けられた側方壁とを有し、前方壁及び側方壁は、球受け面に向けて下り傾斜するように形成されていることを特徴とする入賞装置。
【発明の詳細な説明】
【技術分野】
【０００１】
本発明は、パチンコ機等のような遊技機の盤面に設けられて使用される入賞装置に関する。
【背景技術】
【０００２】
パチンコ機の遊技盤に設けられている入賞装置には、いわゆるチューリップ式入賞装置と呼ばれる一対の羽根部材を開閉させるものや、扉部材を開閉させるもの等が使用されている。近年は、これらの入賞装置の他に、いわゆるベロ式入賞装置と呼ばれるものが多く使用されている。
【０００３】
ベロ式入賞装置は、入賞口に球受け部材が配置されている。球受け部材は、流下してきた遊技球を入賞口へ案内するためのもので、ソレノイド等の駆動装置によって進退されるように構成されている。この球受け部材は、通常は入賞口よりも後方に位置しており、遊技球が所定のゲートを通過した時等に、所定時間だけ入賞口よりも前方へ進出するようになっている。流下した遊技球は、球受け部材が入賞口より後方に位置している場合には、入賞口へ案内されずにそのまま流下し、球受け部材が入賞口よりも前方へ進出している場合には、球受け部材によって入賞口へ案内される。
【０００４】
このようなベロ式入賞装置としては、次のようなものが知られている。例えば、球受け部材が入賞口の前方へ進出している場合には、入賞口の開口縁から球受け部材が遊技球を受ける受け面までの間隔を遊技球の直径よりも広くして、流下した遊技球が入賞口に流入しやすい状態にし、球受け部材が入賞口の後方に位置する場合には、入賞口の開口縁から受け面までの間隔を遊技球の直径未満となるように形成して、流下した遊技球が入賞口に流入しないようにしたベロ式入賞装置が知られている（特許文献１、２）。他にも、球受け部材が入賞口の後方に位置する場合に流下した遊技球が入賞口へ流入しないようにするとともに、球受け部材の先端部に前後方向や左右方向に向かう複数の斜面を形成し、遊技領域における遊技球の流下方向等の調節を容易に行えるようにしたベロ式入賞装置が知られている（特許文献３）。
【先行技術文献】
【特許文献】
【０００５】
【特許文献１】特開２００９−１８９４３７号公報
【特許文献２】特開２００９−１９５６３７号公報
【特許文献３】特開２００９−１９５６３８号公報
【発明の概要】
【発明が解決しようとする課題】
【０００６】
上記したようなベロ式入賞装置は、球受け部材が入賞口より前方に進出している場合は、流下した遊技球を入賞口へ流入しやすくするように構成されている。このような入賞装置に対しては、針金のような不正具を入賞装置内に侵入させて球受け部材に引っ掛け、球受け部材を無理やり入賞口の前方に進出させて大量の遊技球を入賞口に流入させ、不正な遊技を行うという、いわゆるゴト行為と呼ばれる不正行為が行われるという問題があった。しかし、従来のベロ式入賞装置においては、不正行為への対策が必ずしも充分とは言えず、上述したような不正行為によって遊技店が大きな損害を受けるおそれがあった。本発明は、上記したような不正行為を防止できる入賞装置を提供することを目的とする。
【課題を解決するための手段】
【０００７】
本発明は、
（１）遊技球を入賞口へ受け入れる球受け部材と、プランジャを有するソレノイドと、プランジャの駆動力を球受け部材に伝達する駆動機構とを有し、駆動機構は、プランジャに装着された連動部材と、連動部材の前端側と球受け部材の後端側に接続され、連動部材の前後方向の運動に伴って回動し、球受け部材を連動部材の移動方向とは逆向きの方向へ移動させるリンク部材とを有し、連動部材が前方へ移動すると、リンク部材が連動部材に接近する方向へ回動する入賞装置において、リンク部材には、後方側へロックピンが突設形成され、連動部材には、該連動部材の前面から後方に向かって前後方向に深さを有するロック孔が形成され、ロックピンとロック孔とは所定深さで嵌合及び嵌合の解除が自在であり、ロックピンとロック孔とが所定深さに嵌合された状態からロックピンとロック孔の嵌合が解除されるまで、連動部材がリンク部材に対して後方へスライド移動するようにリンク部材と連動部材が接続されており、ロックピンの突出端には、後方に向けて突出する補強部が設けられていることを特徴とする入賞装置、
（２）補強部は、下面から後端面側に向けて斜面状に形成された傾斜面を有する上記（１）記載の入賞装置、
（３）遊技球を入賞口へ受け入れる球受け部材と、プランジャを有するソレノイドと、プランジャの駆動力を球受け部材に伝達する駆動機構とを有し、駆動機構は、プランジャに装着された連動部材と、連動部材の前端側と球受け部材の後端側に接続され、連動部材の前後方向の運動に伴って回動し、球受け部材を連動部材の移動方向とは逆向きの方向へ移動させるリンク部材とを有し、連動部材が前方へ移動すると、リンク部材が連動部材に接近する方向へ回動する入賞装置において、リンク部材には、後方側へロックピンが突設形成され、連動部材には、該連動部材の前面から後方に向かって前後方向に深さを有するロック孔が形成され、ロックピンとロック孔とは所定深さで嵌合及び嵌合の解除が自在であり、ロックピンとロック孔とが所定深さに嵌合された状態からロックピンとロック孔の嵌合が解除されるまで、連動部材がリンク部材に対して後方へスライド移動するようにリンク部材と連動部材が接続されており、球受け部材は、流下する遊技球を受け止める球受け面と、球受け面の前端に設けられた前方壁と、球受け面のいずれか一方の側端に設けられた側方壁とを有し、前方壁及び側方壁は、球受け面に向けて下り傾斜するように形成されていることを特徴とする入賞装置、
を要旨とする。
【発明の効果】
【０００８】
本発明によれば、連動部材が前方へ移動すると、リンク部材は連動部材に接近する方向へ回動し、リンク部材に接続される球受け部材は連動部材の移動方向とは逆の後方へ移動する。このとき、リンク部材に突設形成されたロックピンは、リンク部材の回動に伴って、ロック孔に所定深さに嵌合され、球受け部材の前端面は入賞口の後方に後退している。
また、連動部材がプランジャの駆動力を受けて後方へ移動した場合には、連動部材が後方へ移動することに伴い、ロックピンとロック孔とが所定深さに嵌合された状態は解除される。これにより、連動部材がさらに後方へ移動すると、リンク部材が連動部材から離れる方向に回動できるようになり、球受け部材は入賞口の前方に向かって進出する。
このため、球受け部材が入賞口の後方に後退している場合に無理やり球受け部材を前方へ引き出そうとしても、ロックピンとロック孔との係合によってリンク部材の回動が阻止され、球受け部材を前方へ引き出すことができなくなる。
したがって、本発明によれば、球受け部材を無理やり前方に引き出すことを抑制することができ、遊技球を不正に入賞口へ流入させることを効果的に防止することができる。
【図面の簡単な説明】
【０００９】
【図１】本発明の実施の形態に係る入賞装置を備えた遊技機の正面図である。
【図２】本発明の実施の形態に係る入賞装置を備えた遊技盤の正面図である。
【図３】本発明の実施の形態に係る第２始動入賞装置の全体構成を表した外観斜視図である。
【図４】第２始動入賞装置の構成を表した分解斜視図である。
【図５】本体部の外観構成を表した外観斜視図である。
【図６】前カバー部材の裏面側の構成を表した外観斜視図である。
【図７】第２始動入賞装置の縦断面図である。
【図８】球受け部材の外観構成を表した外観斜視図である。
【図９】図８におけるＢ−Ｂ断面図である。
【図１０】球受け部材の側面図である。
【図１１】図８におけるＣ−Ｃ断面図である。
【図１２】第２始動入賞装置の横断面図である。
【図１３】（ａ）は、球受け機構部の動作を説明するための説明図である。（ｂ）は、図１３（ａ）において符号Ｘで示す部分を拡大した部分拡大図である。
【図１４】（ａ）は、球受け機構部の動作を説明するための説明図である。（ｂ）は、図１４（ａ）において符号Ｘで示す部分を拡大した部分拡大図である。
【図１５】球受け機構部の動作を説明するための説明図である。
【図１６】（ａ）は、球受け機構部の動作を説明するための説明図である。（ｂ）は、図１６（ａ）において符号Ｘで示す部分を拡大した部分拡大図である。
【図１７】遊技盤において第２始動入賞装置が設けられた部分を表す部分拡大図である。
【図１８】本実施の形態の変形例に係る第２始動入賞装置のロック孔及びロックピンの部分を部分的に表した部分拡大図である。
【発明を実施するための形態】
【００１０】
本発明の実施の形態について、図面を用いて具体的に説明する。本実施の形態では、本発明に係る入賞装置をパチンコ遊技機（以下、遊技機という。）に適用した例を用いて説明する。なお、本明細書において、遊技機、入賞装置等に関して、「前側」、「後側」は、遊技機を正面から見た場合（図１参照）のそれぞれ正面側（前面側）、裏面側（後面側）を示す。また、遊技機、入賞装置に関して「上下左右側」は、遊技機を正面に見てそれぞれ上側、下側、左側及び右側を示すものとする。また、本明細書においては、遊技球が各種入賞口に入賞することによって遊技者に払い出される遊技球のことを「賞球」という。
【００１１】
図１は、本発明の実施の形態に係る入賞装置を備えた遊技機の外観構成を示す正面図である。図１に示すように、本実施の形態に係る入賞装置を備えた遊技機１は、機体の外郭をなす縦長方形の外枠２を備えている。この外枠２の開口前面側には、縦長方形の中枠３が着脱自在に組み付けられている。中枠３は、全体的に合成樹脂材料を用いて成形されており、遊技盤５をはじめとする各種の遊技用構成部材をセットできるように構成されている。この中枠３の前面側には、前枠４が、左側に設けられたヒンジを中心に中枠３に対して横開きをすることができるように開閉可能に組み付けられている。また、前枠４は、遊技盤５を視認可能にするとともに遊技盤５を保護するガラス板を備えている。前枠４の下部には、上受け皿６が前枠４と同様、開閉可能に組み付けられている。また、中枠３の下部には、下受け皿７及び打球発射装置８がセットされている。
【００１２】
次に、遊技盤５の構成について図２に基づいて説明する。図２は、遊技盤５の外観構成を示す正面図である。遊技盤５は、ベニヤ等のような木製の板材の表面に、セルと呼ばれる意匠性を有する合成樹脂製の薄板部材を貼付して構成された板状部材である。この遊技盤５には、打球発射装置８によって弾発された遊技球が流下する遊技領域９が形成されている。遊技領域９には、流下する遊技球が衝突して流下方向を変更させるための多数の遊技釘１０が打ちつけられている。また、遊技領域９の下部には流下した遊技球を受け入れるアウト口１１が設けられている。
【００１３】
遊技領域９には、センター役物１２、第１始動入賞装置１３、大入賞装置１４、第１通常入賞装置１５及び第２始動入賞装置１６が配置されている。なお、図２では、第１通常入賞装置１５の前面側、及び第２始動入賞装置１６の前面側に取り付けられる装飾部材３５（図３参照）が取り外された状態を示す。
【００１４】
センター役物１２は、遊技領域９の略中央部に配置されている。このセンター役物１２は図柄表示装置１７を備えており、遊技の進行に応じて各種の図柄やアニメーション等を表示することができるようになっている。図柄表示装置１７には、例えば液晶表示装置や有機ＥＬディスプレイ、ＬＥＤなどを用いることができるが、これら以外の表示装置を用いてもよい。
【００１５】
第１始動入賞装置１３は、センター役物１２の下方に配置されている。第１始動入賞装置１３には、１個の遊技球を受け入れ可能な大きさに形成された第１始動入賞口が設けられている。遊技機１は、遊技球がこの第１始動入賞口に入賞することによって、遊技者に有利な状態で遊技を行うことが可能な状態である大当り状態へ移行するか否かの抽選（以下、大当り抽選という。）を行い、大当り抽選の抽選結果を図柄表示装置１７で表示するように構成されている。例えば、遊技機１は、遊技球が第１始動入賞口に入賞すると、図柄表示装置１７に表示されている３つの数字を一斉に回転させ、その後抽選結果に応じた図柄の組み合わせを停止表示させる映像を表示させ、遊技者に対して大当り抽選に当選したか否かを知ることができるようになっている。
【００１６】
大入賞装置１４は、第１始動入賞装置１３の下方に配置されている。大入賞装置１４は、多数の遊技球を同時に受け入れ可能な大きさに形成され、流下する遊技球を受け入れやすい開状態と、流下する遊技球を受け入れない閉状態とに変換可能な大入賞口１８と、大入賞口１８を開状態又は閉状態のいずれかに変換するための大入賞口扉１９とを備えている。大入賞口扉１９は、大入賞口１８と略同じ大きさの板状部材により形成されており、プランジャ及びソレノイドによって大入賞口１８を開放又は閉鎖するように構成されている。この大入賞口扉１９は、通常は大入賞口１８を閉鎖するように位置し、大当り抽選に当選したことを契機として、所定時間の経過又は所定個数の遊技球の入賞までの間だけ大入賞口１８を開放するようになっている。遊技機１は、遊技球が大入賞口１８に入賞すると、入賞した遊技球１個に対して所定個数（例えば１０個）の賞球を払い出し、大入賞口１８に多数の遊技球を入賞させることによって、遊技者が大量の賞球を獲得することができるようになっている。なお、大入賞装置１４は、図１では大入賞口扉１９が開放された開状態を示し、図２では大入賞口扉１９が閉鎖された閉状態を示している。
【００１７】
第１通常入賞装置１５は、第１始動入賞装置１３及び大入賞装置１４の左側に設けられており、３個の通常入賞口が設けられている。それぞれの通常入賞口は、１個の遊技球を受け入れ可能な大きさに形成されており、いずれかの入賞口に遊技球が入賞した場合に所定数（例えば１０個）の賞球が払い出されるように構成されている。
【００１８】
第２始動入賞装置１６は、第１始動入賞装置１３及び大入賞装置１４の右側に設けられている。この第２始動入賞装置１６は、少なくとも大入賞装置１４の大入賞口１８より上方に位置するように設けられており、後述する第２始動入賞口２７が大入賞口１８よりも上方に設けられるように構成されている。以下、本実施の形態では、第２始動入賞装置１６は、第１始動入賞装置１３及び大入賞装置１４の右側に設けられており、いわゆる右打ちが可能な遊技機１に適用された例について説明するが、第１入賞装置及び大入賞装置１４の左側に設けてもよい。
【００１９】
次に、第２始動入賞装置１６の構成を図３〜図１６に基づいて説明する。なお、第２始動入賞装置１６の構成の説明において「上流側」とは、第２始動入賞装置１６に遊技球が流入する側を意味し、「下流側」とは、第２始動入賞口２７及び第２通常入賞口２８のいずれにも入賞しなかった遊技球が第２始動入賞装置１６から流出する側を意味する。また、「転動方向」とは、遊技球が案内面上を転動する方向を意味する。
【００２０】
図３及び図４に示すように、第２始動入賞装置１６は、本体部２１、第１案内部材２２、前カバー部材２３、第２案内部材２４、球受け部材２５及び駆動手段２６を備えている。本体部２１は、第２始動入賞装置１６を遊技盤５の盤面に取り付けられるように形成されている。図５に示すように、この本体部２１には第２始動入賞口２７及び第２通常入賞口２８が形成されている。第２始動入賞口２７は、球受け部材２５が進出した時に、流下する遊技球を１個ずつ受け入れ可能に形成された入賞口である。第２通常入賞口２８は、流下する遊技球を１個ずつ受け入れ可能に形成された入賞口であり、第２始動入賞口２７の下流側に隣接し、かつ第２始動入賞口２７と同じ高さ又は第２始動入賞口２７よりも上方に形成されている。
【００２１】
第１案内部材２２は、本体部２１の前面側に形成されている。この第１案内部材２２には、第２始動入賞口２７に対して流下方向上流側に位置する案内部２９と、案内部２９の下流端から更に下り傾斜した転動部３０とが形成されている。
【００２２】
案内部２９は、流下した遊技球を球受け部材２５へ案内するためのもので、流下した遊技球を球受け部材２５に形成された球受け面５３へ案内する案内面３１が形成されている。この案内面３１は、球受け面５３に対して、遊技球が案内面３１上を球受け面５３に向けて転動する転動方向上流側に形成されており、上流側から下流側に向けて下り傾斜するようになっている。なお、この案内面３１には、少なくとも、第１凸部３２ａを上流端側に形成し、第２凸部３２ｂを下流端側に形成することが好ましい。第１凸部３２ａを形成することによって、流下した遊技球を転動方向下流側へ案内しやすくして、より多くの遊技球を第２始動入賞装置１６内へ転動させることが可能になる。また、第２凸部３２ｂを形成することによって、第２凸部３２ｂを案内面３１上を転動してきた遊技球の下部へ当てることができ、これにより案内面３１上の転動時に増加した遊技球の転動速度を減少させて、より確実に球受け部材２５へ遊技球を案内することが可能になる。また、案内部２９には、第１凸部３２ａと第２凸部３２ｂとの間に板状部材３３を設けることが好ましい。この板状部材３３は、流下する遊技球が案内部２９に衝突する際の衝撃に対する強度を向上させるために設けられており、例えば金属板又は樹脂板等を用いることができるが、それ以外のものを用いてもよい。なお、第１凸部３２ａと第２凸部３２ｂは、板状部材３３が第１凸部３２ａと第２凸部３２ｂとの間に設けられた場合には、板状部材３３の上面よりも突出するように形成されることが好ましい。なお、案内面３１は、案内部材２９に板状部材３３を設けた場合には板状部材３３の上面となる。
【００２３】
転動部３０は、第２始動入賞装置１６が遊技盤５の盤面に設けられたときに大入賞口１８へ向けて遊技球を転動させるためのもので、案内部２９の下流端から更に下り傾斜するように形成されている。また、転動部３０は、後述する第２案内部材２４との間隔が遊技球１個の直径よりも広く、遊技球が第２案内部材２４の下方を遊技球が通過可能な高さ位置となるように形成されている。この転動部３０には、上流側が上方に向けてカーブするように形成されると共に、下流側に向けて連続的に下り傾斜する転動面３４が形成されている。この転動面３４は、第２始動入賞装置１６が遊技盤５の盤面に取り付けられたときに、終端が大入賞口１８に向かうように連続的に形成されている。
【００２４】
なお、本実施の形態では、第１案内部材２２が本体部２１に形成された例を用いて説明しているが、これに限定されるものではなく、第１案内部材２２は前カバー部材２３に形成されてもよいし、本体部２１及び前カバー部材２３とは別個に形成してもよい。なお、図４における符号３５は、案内部材の前面側に取り付けられる装飾部材である。
【００２５】
図３に示すように、前カバー部材２３は、本体部２１の前側に第２始動入賞口２７及び第２通常入賞口２８を覆うように設けられている。図６に示すように、前カバー部材２３は前カバー本体３６を有しており、第２案内部材２４は、前カバー本体３６の裏面側に形成されている。また前カバー本体３６には、突起部３７及び取付軸３８が形成されている。前カバー本体３６は、本体部２１に取り付けた時に第２通常入賞口２８及び第２始動入賞口２７を覆うことができる大きさに形成された板状の部材である。第２案内部材２４は、上方側に開口部３９が形成されるとともに、この開口部３９から第２通常入賞口２８の前面側に位置する終端部４０までの間に形成された第２案内流路４１とを有しており、開口部３９から流入した遊技球が第２通常入賞口２８へ円滑に案内されるように構成されている。
【００２６】
また、第２案内部材２４は、第２始動入賞口２７の上方に設けられており、第２案内部材２４には、第２案内部材２４から下方に向けて延出されて形成されている延出部４２が形成されている。延出部４２は、遊技球が案内面３１から球受け部材２５へ転動した時に、該遊技球が飛び跳ねる等して球受け部材２５から転動面３４へ向けて流下するのを防ぐためのもので、球受け部材２５へ転動した遊技球が当たる高さまで下方に延出形成されている。なお、この延出部４２は、第２始動入賞口２７に対して第２通常入賞口２８が高い位置に設けられたことに伴って第２案内部材２４が球受け部材２５に対して高い位置に設けられた場合であって、球受け部材２５に転動した遊技球が第２案内部材２４の外周面に当たらない時に形成されるものである。したがって、第２案内部材２４が球受け部材２５に対して遊技球１個未満だけ高い位置に設けられている場合には、転動した遊技球は第２案内部材２４の外周面に当たるので、延出部４２を形成しなくてもよい。
【００２７】
なお、第２案内流路４１の終端部４０には誘導板４３を形成することが好ましい。この誘導板４３は、前カバー本体３６の裏面側から後方に向けて形成されており、上流側から下流側に向かって、後方へ延出する長さが順次長くなるように形成された誘導面４４を有している。これにより、開口部３９から流入して第２案内流路４１内を転動してきた遊技球は、終端部４０において誘導面４４に沿って転動し、転動方向を下流方向から第２通常入賞口２８へ向かう方向に変えることができ、遊技球を円滑に第２通常入賞口２８へ案内して球詰まりの発生を防止することが可能になる。
【００２８】
突起部３７は、前カバー部材２３を本体部２１に取り付けた時に、球受け部材２５と対向する位置に設けられており、前カバー本体３６の裏面側から後方へ突出するように設けられている。この突起部３７は、上流側の突出高さが最も高く、下流側に向かって順次低くなるように形成されている。取付軸３８は、前カバー部材２３を本体部２１へ取付固定する際に用いられる軸部材である。図３に示すように、このように構成された前カバー部材２３が本体部２１に取り付けられると、第１案内部材２２と第２案内部材２４は本体部２１と前カバー部材２３との間に位置するように設けられる。また、なお、本実施の形態では、第２案内部材２４が前カバー部材２３に形成された例を用いて説明しているが、これに限定されるものではなく、第２案内部材２４は本体部２１に形成されてもよいし、本体部２１及び前カバー部材２３とは別個に形成してもよい。
【００２９】
図７に示すように、前カバー部材２３が本体部２１に取付けられると、第２案内部材２４は球受け部材２５と隣接するように配置され、案内部２９は、球受け部材２５を挟んで第２案内部材２４とは反対側に配置される。また、第２始動入賞装置１６には、駆動手段２６により球受け部材２５が第２始動入賞口２７の前方へ進出した時に、案内部２９と、第２始動入賞口２７の前方へ進出した球受け部材２５と、第２案内部材２４の一部とによって、遊技球が第２始動入賞口２７へ案内される第１案内流路４５が形成される。また、球受け部材２５は、球受け部材２５が第２始動入賞口２７よりも前方に進出した場合における球受け部材２５の下流端と第２案内部材２４の上流端との間隔ｄ１が遊技球の直径未満となるように配置されている。また、転動面３４は、延出部４２の下端部と、延出部４２の直下に位置する転動面３４との間の間隔ｄ２が遊技球の直径よりも大きくなるように配置されている。
【００３０】
このように、第１案内流路４５を形成することによって、遊技球が斜めに勢いよく流下して、球受け部材２５に当った際に飛び跳ねてしまっても、その飛び跳ねた遊技球を第２案内部材２４の外周面又は延出部４２で受け止めさせることが可能になる。また、飛び跳ねた遊技球を第２案内部材２４の外周面又は延出部４２で受け止めることにより、遊技球の勢いを大幅に低減し、球受け部材２５に案内して第２始動入賞口２７へ案内することも可能になる。
【００３１】
図４に示すように、球受け部材２５は、本体部２１の後側から進退可能に取り付けられるように構成されている。球受け部材２５は、第２始動入賞口２７の前方と後方との間で前後方向に進退するように駆動手段２６に接続されており、駆動手段２６の駆動によって第２始動入賞口２７の前方へ進出した時に遊技球を第２始動入賞口２７へ受け入れるように形成されている。図８に示すように、球受け部材２５は、遊技球を受け止める球受け部５１、及び駆動機構７３と連結するための連結部５２を有する。球受け部５１は、球受け部材２５において連結部５２の前側に設けられており、第２始動入賞口２７の前方へ進出した時に、流下する遊技球を受け止める球受け面５３と、球受け面５３の前端に設けられた前方壁５４と、球受け面５３の上流側の側端に設けられた側方壁５５とを有している。球受け面５３の下流端の側端は、球受け面５３上を転動する遊技球が排出されるように形成されている。なお、本実施の形態における側方壁５５は、球受け面５３の下流側に設けてもよい。この場合には、球受け面５３の上流側に遊技球を排出するように構成してもよいし、他の場所から遊技球を排出するように構成してもよい。
【００３２】
図８〜図１１に示すように、球受け面５３は、球受け部材２５が第２始動入賞口２７の前方へ進出した時に遊技球を第２始動入賞口２７へ案内するためのもので、第１傾斜面５６、第２傾斜面５７、第３傾斜面５８及び底面５９が形成されている。第１傾斜面５６は、球受け部材２５の前端部上流側に形成されている。この第１傾斜面５６は、球受け部材２５の上流側から下流側へ向けて角度θ１で下り傾斜するように形成されるとともに、球受け部材２５の前端側から後端側へ向けて下り傾斜するように形成されている。この前端側から後端側へ向けて下り傾斜する角度は上流端と下流端で異なっている。すなわち、この前端側から後端側へ向けての角度は、上流端では角度θ２であり、下流側へ行くにしたがって連続的に小さい値になり、下流端ではθ２´（θ２＞θ２´）となるように変化している。第２傾斜面５７は、球受け部材２５の前端部下流側に形成されている。この第２傾斜面５７は、球受け部材２５の前端側から後端側へ向けて角度θ３で下り傾斜し、遊技球が前端側から後端側へ転動するように形成されている。この第２傾斜面５７の角度θ３は、第１傾斜面５６のθ２よりも大きく、θ３＞θ２の関係になるように形成されている。
【００３３】
第３傾斜面５８は、球受け部材２５の上流側から下流側に向けて角度θ４で下り傾斜するように形成されている。この第３傾斜面５８は、球受け部材２５の前方から後方に向けて連続的に形成されている。この第３傾斜面５８の角度θ４は、第１傾斜面５６の角度θ１よりも大きく、θ４＞θ１の関係になるように形成されている。底面５９は、第１傾斜面５６、第２傾斜面５７及び第３傾斜面５８の下流側端部と繋がる面で、上流側から下流側へ向けて角度θ５で下り傾斜するように形成されている。この底面５９の角度θ５は、θ１よりも小さくなるように形成されている。したがって、上流側から下流側へ向けて下り傾斜する誘導面４４の角度の間には、θ４＞θ１＞θ５の関係がある。
【００３４】
図１１に示すように、第１傾斜面５６の下流側と第２傾斜面５７の上流側との間には案内溝６０が形成されている。この案内溝６０は、第１傾斜面５６を上流側から下流側に向けて転動する遊技球を前端側から後端側へ向けて案内するために形成されている。また、第１傾斜面５６の下流端の高さ位置は第２傾斜面５７の上流端の高さ位置よりも低くなるように形成されている。そのため、第１傾斜面５６上を上流側から下流側へ向けて転動する遊技球が第２傾斜面５７の上流端で受け止められやすくなっており、より確実に遊技球を第２始動入賞口２７へ案内することができるようになっている。
【００３５】
球受け部５１の奥側には奥壁６１が形成されており、この奥壁６１の前面側には奥面６２が形成されている。奥面６２は、本体部２１の第２始動入賞口２７が形成されている面に対して、上流側から下流側に向けて前後方向に角度θ６だけ傾斜するように形成されている。図８中の符号Ｌ１は、本体部２１の第２始動入賞口２７が形成されている面２１ａと平行な線である。
【００３６】
前方壁５４は、球受け面５３の前端側、すなわち球受け部材２５の前端側に形成された壁部材である。この前方壁５４は、上流端の高さよりも下流端の高さが高くなるように形成されており、上流端側から下流端側に向けて、水平線Ｌ２に対して角度θ７で上り傾斜するように形成されている。このように、前方壁５４が上流側から下流側に向けて上り傾斜することによって、第２傾斜面５７上端部の高さ位置をより高い位置にすることができ、遊技球をより確実に第２傾斜面５７にて受け止めることが可能になる。
【００３７】
また、この前方壁５４は、球受け部材２５が第２始動入賞口２７の前方へ進出した場合における第２始動入賞口２７が形成されている面から球受け部材２５の前端までの長さが、上流側が最も長く、下流側に向かって順次短くなるように形成されている。すなわち、前方壁５４は、本体部２１の第２始動入賞口２７が形成されている面２１ａに対して、上流側から下流側に向けて前後方向に角度θ８だけ傾斜するように形成されている。図８中の符号Ｌ３は、本体部２１の第２始動入賞口２７が形成されている面２１ａと平行な線である。
【００３８】
このように、前方壁５４を角度θ８だけ傾斜させることにより、球受け部材２５が第２始動入賞口２７の前方へ進出した場合における前方壁５４と前カバー部材２３の突起部３７との間隔を、上流端が最も狭く、下流端が最も広くなるようにすることができる。これにより、図１２に示すように、前方壁５４の縁と突起部３７の縁とによって、これらの縁の間隔が、上流側は狭く、下流側へ進むにつれて広くなる案内経路を形成することができ、この案内経路によって遊技球をスムーズに下流へ案内することが可能になる。また、球受け部材２５が第２始動入賞口２７の前方へ進出する動作をしている場合、又は第２始動入賞口２７の前方へ進出した位置に停止している場合のように、第２始動入賞口２７に入賞しなかった遊技球による第２始動入賞口２７付近での球詰まりが比較的発生しやすい場合においても、遊技球を下流側へスムーズに案内して球詰まりの発生を効果的に防止することも可能になる。
【００３９】
なお、この前方壁５４は、球受け面５３に向けて下り傾斜した曲面状に形成されていることが好ましい。前方壁５４をこのように形成することで、針金等のような不正行為具を球受け部材２５に引っ掛けにくくすることができ、球受け部材２５を不正に第２始動入賞口２７の前方へ引き出し、より多くの遊技球を第２始動入賞口２７へ入賞させて当り抽選の機会を増加し、不正に多くの賞球を獲得するというような事態を防止することが可能になる。
【００４０】
側方壁５５は、球受け部材２５の上流側端部に形成された壁部材である。この側方壁５５は、球受け部材２５の前方から後方に向けて、第３傾斜面５８の上端部が位置する高さまで下り傾斜し、その後は後方に向けて同じ高さとなるように形成されている。なお、この側方壁５５は、球受け面５３に向けて下り傾斜した曲面状に形成されていることが好ましい。このように形成することで、針金等のような不正行為具を球受け部材２５に引っ掛けにくくすることができ、球受け部材２５を不正に第２始動入賞口２７の前方へ引き出し、より多くの遊技球を第２始動入賞口２７へ入賞させて当り抽選の機会を増加し、不正に多くの賞球を獲得するというような事態を防止することが可能になる。
【００４１】
連結部５２は、球受け部材２５を駆動機構７３と連結させるためのもので、球受け部材２５の後端側に形成されている。この連結部５２は、後端側が開口したコ字形をしており、左右方向に位置する両側壁部５２ａ，５２ｂにＵ字形状のＵ字溝５２ｃ，５２ｄが設けられた構成になっている。なお、前方に位置する前壁部には、前面側に奥面６２が形成されている。なお、図中の符号６３及び符号６４は、球受け部材２５が進退動作をする際のガイド部材である。このガイド部材は、本体部２１の裏面側等に形成された溝（図示せず）と嵌合可能に形成されており、進退動作を行う際に左右方向及び上下方向をガイドされるようになっている。
【００４２】
図４に示すように、駆動手段２６は、ソレノイド７１、プランジャ７２、並びにプランジャ７２の駆動力を球受け部材２５に伝達する駆動機構７３から構成されており、駆動機構７３はプランジャ７２に装着された連動部材７４及びリンク部材７５を有する。連動部材７４及びリンク部材７５は収納ケース７６内に配置されるようになっており、収納ケース７６の後端側にソレノイド７１が取り付けられて構成されている。このように構成された駆動手段２６は、本体部２１の後方にネジ止め等の方法で取り付けられるようになっている。なお、取り付け方法はネジ止め以外の方法を使用してもよい。
【００４３】
ソレノイド７１は、駆動機構７３を介して球受け部材２５に駆動力を伝達して球受け部材２５を前後方向に進退移動させるためのものである。このソレノイド７１はプランジャ７２を有しており、中央部に設けられたプランジャ７２を挿入するための挿入孔７１ａにプランジャ７２を挿入して構成されている。ソレノイド７１は、図示しない制御装置からの信号に基づいて励磁又は消磁するようになっており、制御装置は所定条件が成立した場合にソレノイド７１を励磁する等の制御を行うように構成されている。この所定条件は種々決定することが可能であるが、本実施の形態においては、遊技盤５に設けられている通過入賞口１０１を遊技球が通過したことが所定条件として設定されている。
【００４４】
プランジャ７２は、ソレノイド７１の励磁又は消磁によって前後方向に進退することができるようになっている。このプランジャ７２の前端部にはフランジ部７２ａが形成されており、このフランジ部７２ａに連動部材７４の後端側に形成された嵌合溝７４ａを嵌合して、プランジャ７２に連動部材７４を装着するように構成されている。また、連動部材７４の後方にあたるプランジャ７２には、後端側にバネ７７が設けられている。プランジャ７２は、バネ７７が設けられた状態でソレノイド７１の挿入孔７１ａに挿入されており、常に連動部材７４を前方に付勢するようになっている。
【００４５】
連動部材７４は、後端側に形成された嵌合溝７４ａにプランジャ７２のフランジ部７２ａが装着されるように構成されるとともに、前端側には、左右方向の２ヶ所から前方へ延出する支持部７８ａ，７８ｂが形成されており、この支持部７８ａ，７８ｂの先端に上面側が開口形成された連結凹部７９ａ，７９ｂが形成されている。この連結凹部７９ａ，７９ｂはリンク部材７５の第１接続部８０と連結可能に形成されている。また、連動部材７４には、下部に四角形状のロック孔８２が形成されている。このロック孔８２は、リンク部材７５に後方側へ突設形成されたロックピン８７が嵌合可能な大きさに形成されており、連動部材７４の前面から後方に向かって前後方向に深さを有するように形成されている。また、ロック孔８２は、リンク部材７５が回動する回動中心よりも後方に位置に形成されており、リンク部材７５の回動に伴って回動運動をするロックピン８７の軌道上に、後方に向かって前後方向に所定深さを有するように形成されている。
【００４６】
リンク部材７５は、連動部材７４の前端側に形成された連結凹部７９ａ，７９ｂと、球受け部材２５の後端側に形成された連結部５２に接続される部材で、第１接続部８０及び第２接続部８１がアーム部８３に設けられている。第１接続部８０は、アーム部８３の上端側に形成された左右方向に延びる腕状の部材であり、連動部材７４の連結凹部７９ａ，７９ｂと連結可能な寸法に形成されている。この第１接続部８０を構成する腕状の部材の直径は、連結凹部７９ａ，７９ｂの前後方向の幅よりも小さくなるように形成されており、腕状の部材の前方側又は後方側のいずれか一方には、空間部８４が形成されるようになっている。第２接続部８１は、アーム部８３の下端側に左右方向に突出するように形成されている。この突出した第２接続部８１の直径は、球受け部材２５に形成された連結部５２のＵ字溝５２ｃ，５２ｄの幅と同じ又は若干小さい径となるように形成されており、第２接続部８１がＵ字溝５２ｃ，５２ｄに嵌め込まれることによって球受け部材２５と連結することができるようになっている。
【００４７】
アーム部８３は、リンク部材７５の主軸をなす部材であり、略中央部には、このリンク部材７５が回動する際の回動支点となる軸孔部８５が形成されている。この軸孔部８５には支持軸８６が挿通されており、この支持軸８６が収納ケース７６内に形成されている図示しない軸受け部に収納されるようになっている。収納ケース７６内に収納されたリンク部材７５は、支持軸８６を回動軸として、連動部材７４の前後方向の運動に伴って回動し、球受け部材２５を連動部材７４の移動方向とは逆向きの方向へ移動させるように回動し、連動部材７４が前方へ移動すると、リンク部材７５が連動部材７４に接近する方向へ回動するように構成されている。
【００４８】
また、アーム部８３には、下端側にロックピン８７が形成されている。ロックピン８７は、リンク部材７５の後方側へ突設形成されており、ロック孔８２と所定深さで嵌合又は嵌合の解除が自在となるように構成されている。これらロック孔８２とロックピン８７は、該ロック孔８２とロックピン８７とが所定深さに嵌合された状態からロックピン８７とロック孔８２の嵌合が解除されるまで、連動部材７４がリンク部材７５に対して後方へスライド移動するように接続されており、ロック孔８２と嵌合している場合には、リンク部材７５の回動動作を阻止することができるように構成されている。したがって、ロックピン８７がロック孔８２と嵌合している場合には、球受け部材２５が第２始動入賞口２７の前方へ引き出されることを阻止することが可能になる。
【００４９】
このように構成された球受け部材２５及び駆動手段２６は、通常は、球受け部材２５が第２始動入賞口２７の後方へ退避する位置に配置されている。そのときの駆動手段２６は、図１３に示すように、プランジャ７２がバネ７７の力によりソレノイド７１に対して前方へ付勢されており、それに伴って連動部材７４も前方に位置する。また、リンク部材７５は、連動部材７４の連結凹部７９ａ，７９ｂが前方へ位置することに伴い、アーム部８３の下方に形成されたロックピン８７がロック孔８２に所定深さだけ嵌合されている。また、連動部材７４の連結凹部７９ａ，７９ｂと第１連結部５２とは、連結凹部７９ａ，７９ｂの後端面と第１連結部５２とが当接し、連結凹部７９ａ，７９ｂの前端面と第１連結部５２との間に、所定幅の空間部８４が形成されている。
【００５０】
ここで、ソレノイド７１が駆動してプランジャ７２が挿入孔７１ａ内に引き込まれ、図１４中のＡ方向へ移動し始めると、連動部材７４もプランジャ７２と共にＡ方向へスライド移動するため、連動部材７４の前端面と第１連結部５２との間に形成された空間部８４が消滅し、連結凹部７９ａ，７９ｂの後端面と第１連結部５２との間に空間８８が形成されるようになる。また、連動部材７４のスライド移動に伴ってロック孔８２の位置もＡ方向にスライド移動するため、ロック孔８２とロックピン８７の嵌合状態も解除される。
【００５１】
ソレノイド７１がさらにプランジャ７２を挿入孔７１ａ内に引き込むと、連動部材７４がさらにＡ方向へスライド移動することに伴って、連結凹部７９ａ，７９ｂの前端面と第１連結部５２とが当接する。その後、さらに連動部材７４がＡ方向へスライド移動すると、次はリンク部材７５が支持軸８６を回動中心として回転運動を開始する。即ち、ロック孔８２とロックピン８７との嵌合状態は完全に解除され、さらにリンク部材７５が図１５中のＢ方向に回動することが可能になる。このとき、球受け部材２５は、リンク部材７５の回動運動によって第２始動入賞口２７の前方へ向けてＣ方向へ押出される。
【００５２】
一方、不正行為によって球受け部材２５を引き出そうとする場合は、図１６に示すように、ソレノイド７１が全く駆動していないので、連動部材７４は、前方へ位置したまま動かず、ロックピン８７とロック孔８２とが嵌合された状態を維持する。そのため、球受け部材２５を前方へ移動させようとすると、球受け部材２５の前方への移動に伴ってリンク部材７５が回動するが、ロックピン８７がロック孔８２に嵌合されているので、ロックピン８７の下面８７ａがロック孔８２の底面８２ａに当接し、リンク部材７５の回動運動を阻止する。そのため、球受け部材２５は前方へ引き出されなくなる。このように、不正行為を行う者が球受け部材２５を無理やり引き出そうとした場合には、ロックピン８７をロック孔８２に嵌合させる機構を球受け部材２５が引き出されないロック機構として作用させることができ、不正行為者が不正行為を行って不正に賞球を獲得する機会を得ることを防止することが可能になる。
【００５３】
図１７は、遊技盤５において、本実施の形態に係る第２始動入賞装置１６を設けた部分を拡大して表した部分拡大図である。なお、図１７では、説明の便宜上、第２始動入賞装置１６の前カバー部材２３及び装飾部材を取り外した構成のものを図示する。また、図１７中の矢印は、遊技領域９を流下する遊技球の流下経路の一例である。
【００５４】
図１７に示すように、第２始動入賞装置１６は、転動面３４が大入賞口１８へ向くように遊技盤５に設けられている。遊技領域９を流下する遊技球は、通過入賞口１０１付近の遊技釘で形成された流下経路上を転動した後、遊技釘９１ａと遊技釘９１ｂとの間に形成された隙間９２に落ち込み、略鉛直方向に流下する。そして、略鉛直方向に流下した遊技球は、第２始動入賞装置１６の第１案内部材２２に形成された案内面３１と衝突した後に案内面３１上を下流側に転動し、球受け部材２５が第２始動入賞口２７の前方へ進出している時は、案内面３１から球受け面に案内された遊技球が第２始動入賞口２７へ受け入れられ、球受け部材が第２始動入賞口２７の後方へ退避している時は、案内面３１を転動する遊技球は、案内面３１の下流端から更に下流側、かつ案内面３１より下方に形成された転動路上をＢ方向に転動する。このとき、転動面３４は連続した平滑な面で形成されているので、転動面３４の傾斜角度が小さくても、遊技球は転動面３４上で留まることなくスムーズに転動する。遊技球は、転動面３４上を転動した後にＣ方向に流下して、大入賞装置１４に形成された大入賞口１８内に入賞する。
【００５５】
このように、本実施の形態に係る第２始動入賞装置１６によれば、転動面３４の傾斜角度を小さくしても、遊技球をスムーズに大入賞口１８へ案内することができる。したがって、転動路を多数の遊技釘１０で形成した場合と比較して第２始動入賞装置１６をより低い高さ位置に設けても、遊技球を安定に転動させることが可能になる。また、第２始動入賞装置１６をより低い高さ位置に設けることにより、第２始動入賞装置１６、及び該第２始動入賞装置１６から大入賞装置１４へ遊技球を転動させるための転動経路を設けるために必要なスペースを大幅に減らすことが可能になる。また、この空いたスペースは、他の役物装置や、或いは大型化した図柄表示装置１７を備えるセンター役物１２を設けるためのスペースとして利用することができるので、遊技者の興趣をより向上させることができる多彩な演出を行うことも可能になる。さらに、本実施の形態に係る第２始動入賞装置１６によれば、遊技球９０が案内面３１から球受け面５３を転動して第２始動入賞口２７へ案内されなかった場合には、案内面３１から転動面３４を転動するように構成されているので、第２始動入賞口２７に入賞しなかった遊技球が大入賞口１８に入賞する可能性を残すことができ、遊技者の遊技に対する興趣をより増加させることが可能になる。
【００５６】
なお、本実施の形態においては、ロックピン８７はロック孔８２と嵌合可能なブロック状のものを用いて説明したが、他の形状のものを使用してもよい。このロックピン８７及びロック孔８２の変更例を図１８に示す。図１８は、ロック孔８２及びロックピン８７の変形例を表す部分拡大図である。
【００５７】
図１８（ａ）は、ロックピン８７の突出端に、後方に向けて突出する補強部９５が形成されている例である。この補強部９５は、ロックピン８７の後端を更に後方へ延出させてもよいし、ロックピン８７に対して別の補強用部材を取り付けてもよい。また、これ以外の方法により補強部９５を形成してもよい。この補強部９５を設けることにより、不正行為時における過剰な力でロックピン８７が破損されることを防止でき、より確実に不正行為を防止することが可能になる。なお、便宜上、ロックピン８７と補強部９５との境界は、図１８（ａ）中に点線で表す。後述する図１８（ｂ）についても同様である。
【００５８】
図１８（ｂ）は、補強部９５を設けたロックピン８７において、該補強部９５の下面から後端面側に向けて斜面状に形成された斜面部９６を形成した例である。このように、補強部９５に斜面部９６を設けることにより、補強部９５によるロックピン８７の強度を維持しつつ、ロックピン８７とロック孔８２との嵌合を解除するために必要な連動部材７４のストロークを短くすることができるので、ロックピン８７の強度を向上させつつ装置の小型化を図ることが可能になる。
【００５９】
図１８（ｃ）は、連動部材７４を厚肉化して、ロック孔８２の前後方向の長さを長くするように形成した例である。このようにロック孔８２を形成することでも、ロックピン８７との相対的な嵌合深さを確保することが可能になる。また、ロック孔８２を上記のように形成することで、ロック孔８２付近の強度も向上させることが可能になる。なお、上記した補強部９５を設けたロックピン８７と、前後方向の長さを長くしたロック孔８２を形成した連動部材７４を用いることで、ロック機構としての強度をより向上させることができ、より確実に不正行為を防止することが可能になる。
【００６０】
図１８（ｄ）は、ロックピン９７の下面９７ａとロック孔９８の底面９８ａを斜めに形成した例である。この例では、ロックピン９７の下面９７ａは、アーム部８３と接続される根元側における幅Ｒ１に対して、後端側における幅Ｒ２の方が幅広になるような角度で形成されており、ロック孔９８の底面９８ａもロックピン９７の下面９７ａと同じ角度になるように形成されている。このように、下面９７ａと底面９８ａを上記した斜め形状にすることで、不正行為によって過剰な力がロックピン９７に加わった場合でも、ロックピン９７とロック孔９８との嵌合状態をより強固に維持することが可能になり、より確実に不正行為を防止することが可能になる。
【００６１】
図１８（ｅ）は、ロックピン９９の先端をカギ状に形成した例である。この例では、ロックピン９９の先端にカギ状部材９９ａを形成し、このカギ状部材９９ａがロック孔８２と係合するように構成されている。このように構成することで、不正行為によって球受け部材２５が引き出されることでリンク部材７５が回動動作をした場合には、カギ状部材９９ａの係合部９９ｂと連動部材７４の後端面７４ｂとが強固に係合し、リンク部材７５の回動をより確実に阻止することが可能になる。したがって、この場合においても、より確実に不正行為を防止することが可能になる。
【００６２】
なお、本実施の形態においては、各入賞口に遊技球が入賞した場合に払い出される賞球の数を１０個として説明したが、賞球数はこれに限定されるものではない。また、本実施の形態では、遊技機１の一例としてパチンコ機に適用した例を説明したが、パチンコ機のほかにパロット機、アーケードマシン、各種ゲーム機等のように、遊技球の流下によって遊技が実現されるものであれば適宜用いることができる。
【符号の説明】
【００６３】
１  遊技機
１４  大入賞装置
１６  第２始動入賞装置
１８  大入賞口
１９  大入賞口扉
２１  本体部
２２  第１案内部材
２３  前カバー部材
２４  第２案内部材
２５  球受け部材
２６  駆動手段
２７  第２始動入賞口
２８  第２通常入賞口
２９  案内部
３０  転動部
３１  案内面
３４  転動面
３６  前カバー本体
３７  突起部
３９  開口部
４１  第２案内流路
４２  延出部
４５  第１案内流路
５１  球受け部
５３  球受け面
５４  前方壁
５５  側方壁
５６  第１傾斜面
５７  第２傾斜面
５８  第３傾斜面
５９  底面
７１  ソレノイド
７２  プランジャ
７３  駆動機構
７４  連動部材
７５  リンク部材
７７  バネ
８２，９８  ロック孔
８４，８８  空間部
８７，９７，９９  ロックピン
９５  補強部
９６  斜面部
【図１】
0005427646.tif 000002
【図２】
0005427646.tif 000003
【図３】
0005427646.tif 000004
【図４】
0005427646.tif 000005
【図５】
0005427646.tif 000006
【図６】
0005427646.tif 000007
【図７】
0005427646.tif 000008
【図８】
0005427646.tif 000009
【図９】
0005427646.tif 000010
【図１０】
0005427646.tif 000011
【図１１】
0005427646.tif 000012
【図１２】
0005427646.tif 000013
【図１３】
0005427646.tif 000014
【図１４】
0005427646.tif 000015
【図１５】
0005427646.tif 000016
【図１６】
0005427646.tif 000017
【図１７】
0005427646.tif 000018
【図１８】
0005427646.tif 000019